(57)【要約】【課題】テーブル用の天板において上側荷重に対する強度を確保しつつ、さらなる軽量化を図。【解決手段】天板１０は、天板１０の外周部を構成する枠材１１と、枠材１１の表側に取り付けられた表面材１２と、枠材１１の裏側に取り付けられた裏面材１３と、枠材１１に囲まれ且つ表面材１２及び裏面材１３に仕切られた内側空間に配置されテーブル脚２５を取り付けるために天板１０の裏面に設ける裏側棒材２１ａ，２１ｂが取り付けられる複数の内側取付材１５ａ，１５ｂと、複数の内側取付材１５ａ，１５ｂと共に内側空間を埋めるように設けられた空隙芯材１４とを備えている。枠材１１の内側では、同じ裏側棒材２１ａ，２１ｂが取り付けられる複数の内側取付材１５ａ，１５ｂが、互いに離間して配置されている。【選択図】図３
2020074803.tif 000002
【特許請求の範囲】
【請求項１】
テーブル用の天板であって、
前記天板の外周部を構成する枠材と、
前記枠材の表側に取り付けられた表面材と、
前記枠材の裏側に取り付けられた裏面材と、
前記枠材に囲まれ且つ前記表面材及び前記裏面材に仕切られた内側空間に配置され、テーブル脚を取り付けるために当該天板の裏面に設ける裏側棒材が取り付けられる複数の内側取付材と、
内部に空隙を有する部材であって、前記複数の内側取付材と共に前記内側空間を埋めるように設けられた空隙芯材とを備え、
前記枠材の内側では、同じ裏側棒材が取り付けられる複数の内側取付材が、互いに離間して配置されている、天板。
【請求項２】
前記複数の内側取付材の各々は、前記枠材の内面から内側に延び出ている、請求項１に記載の天板。
【請求項３】
当該天板の裏面には、前記裏側棒材として第１裏側棒材及び第２裏側棒材が設けられ、
前記枠材の内側では、前記第１裏側棒材が取り付けられる前記複数の内側取付材により構成された第１群の内側取付材と、前記第２裏側棒材が取り付けられる前記複数の内側取付材により構成された第２群の内側取付材とが、互いに対向するように配置されている、請求項１又は２に記載の天板。
【請求項４】
前記枠材の内側では、平面視において所定方向に延びる当該天板の中心線を挟んで、前記第１群の内側取付材と前記第２群の内側取付材とが互いに離間している、請求項１乃至３の何れか１つに記載の天板。
【請求項５】
請求項１乃至４の何れか１つに記載の天板と、
前記複数の内側取付材に取り付けられた複数の裏側棒材と、
前記裏側棒材に取り付けられた複数のテーブル脚とを備えた、テーブル。
【発明の詳細な説明】
【技術分野】
【０００１】
本発明は、内部に空隙を有する空隙芯材が内側空間に設けられたテーブル用の天板に関する。
【背景技術】
【０００２】
従来から、ハニカム構造などの空隙芯材が内側空間に設けられたテーブル用の天板が知られている（例えば、特許文献１）。この種の天板は、上側から作用する荷重に対する強度を確保しつつ軽量化を図るために空隙芯材が用いられている。
【０００３】
ここで、この種の天板を備えたテーブルの中には、天板の裏面に取り付けた裏側棒材（例えばフレームの一部）に対しテーブル脚を取り付けたものがある。図５（ａ）及び図５（ｂ）では、天板１０に対し、各裏側棒材２１ａ，２１ｂが複数箇所で取り付けられている。２２ａ，２２ｂは、取付箇所を示す。図５（ａ）では、各裏側棒材２１ａ，２１ｂが枠材１１の長辺部に取り付けられている。図５（ｂ）では、各裏側棒材２１ａ，２１ｂが、枠材１１の内側を横断する横断部材２３に取り付けられている。なお、図５においてクロスハッチングした箇所は空隙芯材１４を表す。
【先行技術文献】
【特許文献】
【０００４】
【特許文献１】特開２０１１−３５７号公報
【発明の概要】
【発明が解決しようとする課題】
【０００５】
ところで、図５（ａ）に示す天板１０は、天板１０の外周より内側に配置される裏側棒材２１ａ，２１ｂの位置に合わせて、枠材１１の幅を確保する必要がある。また、図５（ｂ）に示す天板１０は、裏側棒材２１ａ，２１ｂの取り付けに用いる横断部材２３の長さが長い。何れの場合も、裏側棒材２１ａ，２１ｂを取り付ける部分を確保するために、枠材１１や横断部材２３に比べて比重が小さい空隙芯材１４の体積が小さくなり、天板１０の重量が増加する。
【０００６】
本発明は、このような事情に鑑みてなされたものであり、テーブル用の天板において上側荷重に対する強度を確保しつつ、さらなる軽量化を図ることを目的とする。
【課題を解決するための手段】
【０００７】
上述の課題を解決するべく、第１の発明は、テーブル用の天板であって、天板の外周部を構成する枠材と、枠材の表側に取り付けられた表面材と、枠材の裏側に取り付けられた裏面材と、枠材に囲まれ且つ表面材及び裏面材に仕切られた内側空間に配置され、テーブル脚を取り付けるために当該天板の裏面に設ける裏側棒材が取り付けられる複数の内側取付材と、内部に空隙を有する部材であって、複数の内側取付材と共に内側空間を埋めるように設けられた空隙芯材とを備え、枠材の内側では、同じ裏側棒材が取り付けられる複数の内側取付材が、互いに離間して配置されている、天板である。
【０００８】
第２の発明は、第１の発明において、複数の内側取付材の各々は、枠材の内面から内側に延び出ている。
【０００９】
第３の発明は、第１又は第２の発明において、天板の裏面には、裏側棒材として第１裏側棒材及び第２裏側棒材が設けられ、枠材の内側では、第１裏側棒材が取り付けられる複数の内側取付材により構成された第１群の内側取付材と、第２裏側棒材が取り付けられる複数の内側取付材により構成された第２群の内側取付材とが、互いに対向するように配置されている。
【００１０】
第４の発明は、第１又は第２の発明において、枠材の内側では、平面視において所定方向に延びる当該天板の中心線を挟んで、第１群の内側取付材と第２群の内側取付材とが互いに離間している。
【００１１】
第５の発明は、第１乃至第４の発明の何れかの天板と、複数の内側取付材に取り付けられた複数の裏側棒材と、裏側棒材に取り付けられた複数のテーブル脚とを備えた、テーブルである。
【発明の効果】
【００１２】
本発明では、複数の内側取付材と共に内側空間を埋めるように空隙芯材を設けているため、上側荷重に対して天板の強度を確保することができる。
【００１３】
また、本発明では、同じ裏側棒材に対し複数の内側取付材（以下、「同一材用の複数の内側取付材」という場合がある。）が設けられ、同一材用の複数の内側取付材は、互いに離間して配置されている。つまり、天板に裏側棒材を複数箇所で取り付けるにあたって、互いに離間して配置された複数の内側取付材において取り付けがなされるようにしている。ここで、各内側取付材は、裏側棒材の取付箇所（例えば、釘やネジなどによる取付箇所）を確保できる程度の大きさが少なくともあればよく、面積を比較的小さくすることができる。そのため、比重が小さい空隙芯材の体積を従来に比べて増やすことができ、天板の軽量化を図ることが可能である。
【００１４】
このように、本発明によれば、テーブル用の天板において、上側荷重に対する強度を確保しつつ、さらなる軽量化を図ることができる。
【図面の簡単な説明】
【００１５】
【図１】図１は、実施形態に係るテーブルを側方から見た図である。
【図２】図２は、実施形態に係るテーブル用の天板の内部構造を説明するための図である。
【図３】図３は、実施形態に係るテーブルにおける裏側棒材と内側取付材を説明するための図である。
【図４】図４は、その他の実施形態に係るテーブルにおける裏側棒材と内側取付材を説明するための図である。
【図５】図５は、背景技術に記載したテーブル用の天板の内部構造を説明するための図である。
【発明を実施するための形態】
【００１６】
以下、図１−図５を参照しながら、本発明の実施形態を詳細に説明する。なお、以下の実施形態は、本発明の一例であって、本発明、その適用物、あるいはその用途の範囲を制限することを意図するものではない。
【００１７】
本実施形態は、図１に示すように、天板１０と、天板１０の裏面に固定された複数の裏側棒材２１ａ，２１ｂと、裏側棒材２１ａ，２１ｂに取り付けられた複数のテーブル脚２５とを備えたテーブル２０である。各テーブル脚２５は、その上端部を支点にして、内側に回転可能に裏側棒材２１ａ，２１ｂに取り付けられている。テーブル２０は、各テーブル脚２５を回転させることで折り畳み可能になっている。なお、本実施形態では、天板１０が木製であるが、木製に限定されない。また、裏側棒材２１ａ，２１ｂ及びテーブル脚２５の各々は金属製であるが、金属製に限定されない。各裏側棒材２１ａ，２１ｂは、例えばテーブル脚２５を取り付ける矩形フレームの一部である。
［天板の構成］
【００１８】
図２（ａ）は、天板１０を水平方向に切断した断面図である。図２（ｂ）は、図２（ａ）に示すＡ−Ａの箇所を縦方向に切断した拡大断面図である。なお、図２（ａ）及び図２（ｂ）において、斜めハッチングは、空隙がない木材（例えば合板）の部分を表し、クロスハッチングは、空隙がある芯材の部分を表す。
【００１９】
天板１０は、図２に示すように、天板１０の外周部を構成する枠材１１と、枠材１１の表側に取り付けられた板状の表面材１２と、枠材１１の裏側に取り付けられた板状の裏面材１３と、枠材１１の内側空間に配置された複数の内側取付材１５ａ，１５ｂと、複数の内側取付材１５ａ，１５ｂと共に天板１０の内側空間を埋めるように設けられた空隙芯材１４とを備えている。天板１０の内側空間は、枠材１１に囲まれ且つ表面材１２及び裏面材１３に仕切られた空間である。また、複数の内側取付材１５ａ，１５ｂは、裏側棒材２１ａ，２１ｂ（図１等参照）を天板１０の裏面に取り付けるための部材である。天板１０は、空隙芯材１４等により内部空間を埋めることにより強度を確保しつつ軽量化を図っている。なお、天板１０の中央部には、取っ手を取り付ける合板材１６が設けられている。
【００２０】
枠材１１は、複数の棒材の端部同士を互いに連結することにより構成されている。棒材同士は、ネジや釘などの固定具又は接着剤などにより連結することができる。枠材１１は、矩形状に形成されている。なお、枠材１１の平面形状は、矩形に限定されず、正方形、円形、長円形又は楕円形など他の形状であってもよい。また、枠材１１の外周面には、図２（ｂ）に示すように、樹脂製のガード材１８が取り付けられている。
【００２１】
表面材１２及び裏面材１３の各々は、枠材１１の外周形状に対し略同じ形状で略同じ大きさに形成されている。表面材１２及び裏面材１３の各々には、枠材１１の高さに比べて薄い薄板が用いられている。
【００２２】
表面材１２には、例えばポリエステル化粧合板、メラミン化粧板などの化粧板を用いることができる。表面材１２の厚さは例えば２．５ｍｍである。一方、裏面材１３には、例えばベニヤ合板などを用いることができる。裏面材１３の厚さは例えば２．５ｍｍである。なお、表面材１２と裏面材１３は、互いに同じ厚さでなくてもよい。
【００２３】
図３は、天板１０の構成部材のうち表面材１２及び空隙芯材１４を省略した平面図である。図３では、テーブル２０を折り畳んだ状態において裏面材１３の下側に位置するテーブル２０の構成部材（裏側棒材２１ａ，２１ｂなど）を点線で記載している。
【００２４】
ここで、本実施形態では、図３に示すように、天板１０の裏面に沿って一対の第１裏側棒材２１ａ及び第２裏側棒材２１ｂが設けられている。各裏側棒材２１ａ，２１ｂは、真っすぐな棒状の部材であり、天板１０の長手方向に延びている。一対の第１裏側棒材２１ａ及び第２裏側棒材２１ｂは、互いに離間して平行に配置されている。各裏側棒材２１ａ，２１ｂは、枠材１１の長辺部１１ａ，１１ｂの少し内側に配置されている。
【００２５】
複数の内側取付材１５ａ，１５ｂは、図３に示すように、第１裏側棒材２１ａが取り付けられた複数の内側取付材１５ａ（図３では４つの内側取付材１５ａ）により構成された第１群の内側取付材１５ａと、第２裏側棒材２１ｂが取り付けられた複数の内側取付材１５ｂ（図３では４つの内側取付材１５ｂ）により構成された第２群の内側取付材１５ｂとを含む。各内側取付材１５ａ，１５ｂは、幅が小さく長さが短い棒状の部材である。各内側取付材１５ａ，１５ｂの幅は、ネジ又は釘などの固定具による裏側棒材２１ａ，２１ｂの取り付けを行うために必要な幅を少なくとも確保すればよく、例えば４０ｍｍ以下（好ましくは３０ｍｍ以下）にすることができる。図３では、各内側取付材１５ａ，１５ｂの幅は３０ｍｍである。また、各内側取付材１５ａ，１５ｂの高さは枠材１１の高さに概ね等しい。
【００２６】
各内側取付材１５ａ，１５ｂでは、１つの箇所２２ａ，２２ｂで各裏側棒材２１ａ，２１ｂが取り付けられている。各箇所２２ａ，２２ｂでは、例えばネジ又は釘などの固定具により裏面材１３の下側から取り付けがなされている。なお、各内側取付材１５ａ，１５ｂにおける取付箇所２２ａ，２２ｂは複数であってもよい。
【００２７】
第１群の各内側取付材１５ａは、枠材１１の第１長辺部１１ａの内面に例えばタッカーによって固定され、その内面から内側に略垂直に延び出ている。第１群の各内側取付材１５ａは、第１裏側棒材２１ａと交差している。第２群の各内側取付材１５ｂは、枠材１１の第２長辺部１１ｂの内面に例えばタッカーによって固定され、その内面から内側に略垂直に延び出ている。第２群の各内側取付材１５ｂは、第２裏側棒材２１ｂと交差している。なお、長辺部１１ａ，１１ｂに対して内側取付材１５ａ，１５ｂが斜めに延び出ていてもよい。また、各内側取付材１５ａは、枠材１１の内面から内側に離れていてもよい。この場合、例えば各内側取付材１５ａは、裏面材１３に固定することができる。
【００２８】
各群では、図３に示すように、天板１０の長手方向において、複数の内側取付材１５ａ，１５ｂが等間隔に配置されている。各群では、複数の内側取付材１５ａ，１５ｂが、空隙芯材１４を介して互いに離間して配置されている。
【００２９】
また、第１群と第２群とでは、天板１０の長手方向における内側取付材１５ａ，１５ｂの位置が互いに一致している。枠材１１の内側では、第１群の内側取付材１５ａと第２群の内側取付材１５ｂとが、平面視において所定方向（長手方向）に延びる天板１０の中心線Ｃを挟んで、互いに対向している。
【００３０】
また、枠材１１の内側では、中心線Ｃを挟んで、第１群の内側取付材１５ａと第２群の内側取付材１５ｂとが互いに離間している。各内側取付材１５ａ，１５ｂの長さは、例えば天板１０の短辺長の４分の１よりも短い。互いに対向する内側取付材１５ａ，１５ｂの間には、空隙芯材１４が設けられている。
【００３１】
空隙芯材１４は、内部に空隙を有しており、内側取付材１５ａ，１５ｂより比重が小さい。空隙芯材１４には、例えばハニカム構造の芯材（例えばペーパーコア）を用いることができる。本実施形態では、複数の空隙芯材１４が、天板１０の内部空間において内側取付材１５ａ，１５ｂ及び合板材１６の設置箇所以外の空間を埋めるように設けられている。各空隙芯材１４の高さは、枠材１１の高さに概ね等しい。そのため、天板１０に上側から荷重が作用しても、表面材１２は撓みにくい
【００３２】
［実施形態の効果等］
本実施形態では、天板１０に裏側棒材２１ａ，２１ｂを複数箇所で取り付けるにあたって、互いに離間して配置された複数の内側取付材１５ａ，１５ｂにおいて取り付けがなされるようにしている。各内側取付材１５ａ，１５ｂは、裏側棒材２１ａ，２１ｂの取付箇所２２ａ，２２ｂを確保できる程度の大きさが少なくともあればよく、比較的小さくできる。例えば、同じ裏側棒材２１ａ，２１ｂが取り付けられる複数の内側取付材１５ａ，１５ｂの合計長（各群における合計長）は、枠材１１の内部空間の長手方向の長さより短い。本実施形態によれば、枠材１１の内部空間において、比重が小さい空隙芯材１４の体積を従来に比べて増やすことができ、天板１０の軽量化を図ることが可能である。
【００３３】
また、本実施形態に係る天板１０は、ホテルなどで使用されるテーブル２０に使用される。天板１０が比較的軽いために、テーブル２０の移動や収納作業の負荷を軽減することができる。
【００３４】
［その他の実施形態］
上述の実施形態では、全ての内側取付材１５ａ，１５ｂの長さを短くしていたが、一部の内側取付材１５ａ，１５ｂの長さを長くしてもよい。例えば、図４に示す円形の天板１０の場合に、同じ群における真ん中の内側取付材１５ａ，１５ｂを長くすることで、天板１０の中央部の強度を高めることができる。内側取付材１５ａ，１５ｂのうち真ん中の内側取付材１５ａ，１５ｂだけが、各内側取付材１５ａ，１５ｂに対し略垂直方向で天板１０の径方向に延びる棒材１７まで延びている。なお、図４は、図３と同様に表面材１２及び空隙芯材１４の記載を省略している。また、図４に示す天板１０について、例えば直径が大きい場合に、全ての内側取付材１５ａ，１５ｂが棒材１７まで延びていてもよい。
【産業上の利用可能性】
【００３５】
本発明は、空隙芯材が内側空間に設けられたテーブル用の天板等に適用可能である。
【符号の説明】
【００３６】
１０    天板
１１    枠材
１２    表面材
１３    裏面材
１４    空隙芯材
１５ａ  第１群の内側取付材
１５ｂ  第２群の内側取付材
２１ａ  第１裏側棒材
２１ｂ  第２裏側棒材
【図１】
2020074803.tif 000003
【図２】
2020074803.tif 000004
【図３】
2020074803.tif 000005
【図４】
2020074803.tif 000006
【図５】
2020074803.tif 000007